(57)【要約】【課題】従来の回転カムを用いて方立との隙間を塞ぐ遮蔽部材の位置を調整する引戸装置について、より簡単な構造の回転カムを用いた引戸装置を提供する。【解決手段】立付けられた扉と対向する扉、戸枠または方立等との隙間を遮蔽するために、扉、戸枠または方立の少なくとも一部に設置される遮蔽部材を備えた引戸装置において、前記遮蔽部材が、前記隙間の幅に合わせて進退調節可能に配置され、前記遮蔽部材が取付けられた前記扉、戸枠または方立の面の側面または上下面に形成した取付孔に前記遮蔽部材を進退調節可能とするための偏芯軸を後端面に突設した回転カムを備えるとともに、前記回転カムを前記取付孔に所望の回転位置において押圧固定するための孔隠しキャップを備える。【選択図】図２
2014214562.tif 000002
【特許請求の範囲】
【請求項１】
立付けられた扉と対向する扉、戸枠または方立等との隙間を遮蔽するために、扉、戸枠または方立の少なくとも一部に設置される遮蔽部材を備えた引戸装置において、
前記遮蔽部材が、前記隙間の幅に合わせて進退調節可能に配置され、前記遮蔽部材が取付けられた前記扉、戸枠または方立の面の側面または上下面に形成した取付孔に前記遮蔽部材を進退調節可能とするための偏芯軸を後端面に突設した回転カムを備えるとともに、前記回転カムを前記取付孔に所望の回転位置において押圧固定するための孔隠しキャップを備えていることを特徴とする引戸装置。
【請求項２】
前記回転カムを孔隠しキャップの差込み筒により押圧固定することを特徴とする請求項１記載の引戸装置。
【請求項３】
前記回転カムを制動部材を介して前記差込み筒により押圧固定することを特徴とする請求項１または２記載の引戸装置。
【請求項４】
前記制動部材が前記回転カムの外周面に沿って配置されており、前記制動部材と外環の内周面との間に前記キャップの差し込み筒を圧入して前記回転カムを所望の回転位置に押圧固定することを特徴とする請求項３記載の引戸装置。
【発明の詳細な説明】
【技術分野】
【０００１】
本発明は、引戸装置、殊に、開動作の際に控え壁と手前側で重なってスライドする扉と、前記控え壁の開口側端部に配設される方立を有する引戸装置に関するものである。
【背景技術】
【０００２】
従前より図６に示すような開動作の際に控え壁１と手前側で重なってスライドする扉２と、控え壁１の開口側端部１１に配設される方立３を有する引戸装置が知られている。
【０００３】
そして、前記引戸装置では方立３と扉２との間に扉２の円滑な開閉を確保するために隙間４が設けられており、更に前記隙間４が少ないと扉２が方立３に擦れてしまい、広すぎると見栄えが悪いばかりか隙間風、埃や虫の侵入を遮断できないという問題がある。
【０００４】
そこで、例えば特開２００２−１３８７７１号公報に提示されているように方立における扉に隣接する面に、方立と扉の隙間を遮蔽する遮蔽部材を扉側に向かって移動調整可能に配置する引戸装置が提案されている。
【０００５】
この公報に提示されている引戸装置では、モヘア５１を立設した遮蔽部材５（フィラー部材）を方立３の長手方向に設置し、これをカム材の回動で、前記遮蔽部材５（フィラー部材）の進退を自在に調節することができるが、遮蔽部材調整具６（カム材）に固定手段がないことから使用中において、扉等から遮蔽部材５（フィラー部材）に振動等の負荷が加わるとカム材が容易に回転して折角、モヘア先端と扉との隙間位置を調整したにも拘わらず再度隙間が生じてしまうという問題があった。
【０００６】
この問題を解決するために、調整カムに固定手段を設けた引戸装置が例えば特開２０１２−１７７２６２号公報に提示されており、この公報に提示されている引戸装置では、図７に示すようにモヘア５１を配置する方立５の垂直な凹溝５２に向かって貫通する方立３に形成された取付孔に固着される外環６２（外筒）と、この外環６２（外筒）に回動可能に嵌挿される回転体からなる回転カム６１を備えるとともに、前記外環６２（外筒）の内周面に凹凸歯６２３を備え、回転カム６１の外周面に前記凹凸歯６２３に弾力的に係合する弾性爪６１３が備えられているとともに後端面に前記方立３の凹溝５２に係合する偏芯カム軸６１１が突設されており、前記弾性爪６１３を凹凸歯６２３に係合させて所定のカム位置に回転カム６１を所定の回転位置に固定するものである。
【０００７】
そして、前記公報に提示されている引戸装置では、前記回転カム６１が嵌挿される外環６２（外筒）の内周壁に凹凸歯６２３を形成するとともに、この凹凸歯６２３に対応するように、回転カム６１に弾性爪６１３を形成した構造であるため、凹凸歯６２３の凹凸面の高さや弾性爪６１３の弾性を調整する必要があり全体の構造が複雑になっていた。
【先行技術文献】
【特許文献】
【０００８】
【特許文献１】特開２００２−１３８７７１号公報
【特許文献２】特開２０１２−１７７２６２号公報
【発明の概要】
【発明が解決しようとする課題】
【０００９】
本発明は、上記のような問題点を解決しようとするものであり、従来の回転カムを用いて方立との隙間を塞ぐ遮蔽部材の位置を調整することができる引戸装置よりも簡単で部品点数の増加しない回転カムを備えた遮蔽部材の位置を調整することができる引戸装置を提供することを課題とする。
【課題を解決するための手段】
【００１０】
前記課題を解決するためになされた本発明は、立付けられた扉と対向する扉、戸枠または方立等との隙間を遮蔽するために、扉、戸枠または方立の少なくとも一部に設置される遮蔽部材を備えた引戸装置において、前記遮蔽部材が、前記隙間の幅に合わせて進退調節可能に配置され、前記遮蔽部材が取付けられた前記扉、戸枠または方立の面の側面または上下面に形成した取付孔に前記遮蔽部材を進退調節可能とするための偏芯軸を後端面に突設した回転カムを備えるとともに、前記回転カムを前記取付孔に所望の回転位置において押圧固定するための孔隠しキャップを備えていることを特徴とする。
【００１１】
特に、前記回転カムは前記孔隠しキャップの差込み筒により押圧固定されることを特徴とする。
【００１２】
また、前記回転カムの外周面に沿って制動部材が配置されており、前記制動部材と前記取付孔の内周面との間に前記孔隠しキャップの差込み筒を圧入して前記回転カムを所望の回転位置に押圧固定することを特徴とする。
【図面の簡単な説明】
【００１３】
【図１】本発明の実施の形態にかかる引戸装置の平面図及び一部の断面拡大図であり、（ａ）は全体平面図、（ｂ）は（ａ）の部分拡大図である。
【図２】本発明の実施の形態にかかる引戸装置の方立部分の斜視図である。
【図３】本発明の実施の形態にかかる引戸装置の遮蔽部材調整具である調整カムと外環の斜視図であり、（ａ）は、外環と回転カムを組合せた斜視図、（ｂ）は外環の斜視図、（ｃ）は回転カムの斜視図である。
【図４】本発明の実施の形態にかかる引戸装置の遮蔽部材の拡大断面図であり、（ａ）は遮蔽部材を最大前進した状態を示し、（ｂ）は、遮蔽部材が最も後退した状態を示す。
【図５】本発明の実施の形態の別の実施例の断面図であり（ａ）は全体平面図、（ｂ）は（ａ）の部分拡大図である。
【図６】従来の引戸装置の平面図である。
【図７】従来の引戸装置の方立部分の斜視図である。
【発明を実施するための形態】
【００１４】
以下に、図面を参照しながら本発明を実施するための形態を説明する。
【００１５】
図１は本発明の実施の形態にかかる引戸装置であり（ａ）は全体平面図であり、（ｂ）は扉、控え壁および方立部分を部分的に拡大した部分拡大図である。そして、図２は本発明の形態にかかる引戸装置の方立部分の一部を示した斜視図であって、図３として、図２に示した方立の側面部に取り付けられる遮蔽部材調整具である、調整カムおよび外環の斜視図、また、図４（ａ）、（ｂ）として、本発明の形態にかかる引戸装置の方立部分に備えられた遮蔽部材の進退と調整カムの動きを表した断面図であり、図５は、本発明の別の実施の形態であり、扉と戸枠の隙間にも本発明に係る遮蔽部材を取り付けたものである。
【００１６】
そして、本発明の実施の形態に係る引戸装置は図１（ａ）に示すように、控え壁１の先端における開口側の端部に、扉２との隙間４を遮蔽するための先端面に所定長さのモヘア５１を立設した遮蔽部材５を備えた方立３が配置されている。ここで、前記遮蔽部材５のモヘア５１は図１（ｂ）に示すように扉２と控え壁１との間に配置されることにより、方立３と扉２との間に形成される隙間４からの空気の侵入を緩和したり、扉２と控え壁１とが衝突して破損したりすることを防止する。
【００１７】
ここで、本発明の実施の形態に係る遮蔽部材の設置箇所としては、図１（ｂ）に示すように、前記扉２と控え壁１の隙間４は、備え付けられる建物によりいくらかの幅があり、一定ではないため、前記隙間４を遮蔽するための前記遮蔽部材５は方立３から、所定幅で進退調節可能な構造になっている。
【００１８】
図２に示すように方立３に備えられた遮蔽部材５には、前記遮蔽部材５を進退可能とするための遮蔽部材調整具６が方立３の側面部に少なくとも縦方向に２カ所以上設けられており、特に、本実施の形態に係る引戸装置においては、２カ所に遮蔽部材調整具６を配置している。尚、遮断部材調整具６の数や配置は、使用する方立３の形状、特に大きさなどにより適宜選択される。
【００１９】
また、前記遮蔽部材調整具６は、本実施の形態では、それぞれ方立３に形成された前記遮断部材５に連通形成した方立３に形成された取付孔３１に順番に嵌挿される回転カム６１、制動部材６２２を備えた外環６３、孔隠しキャップ６３から構成され、取付孔３１に順番に嵌挿される。前記取付孔３１への嵌挿は、まず、回転カム６１の端部に設けられた偏芯カム軸６１２を遮蔽部材５の凹溝５２へ固定しつつ、前記取付孔３１に挿入する。
【００２０】
尚、本実施の形態に用いられる孔隠しキャップ６３は、例えば建具や家具などの固定部に用いられている止めネジの取付孔を塞ぐために用いられる取付孔に被冠される適宜の弾性を有する硬質合成樹脂製で差込んだ際の押圧力により抜き取り可能にはめ込まれるものを用いることができる。
【００２１】
続いて、前記外環６２を、回転カム６１の凸部６１１が外環６３の内側に突出するように取付孔３１に挿入する。そして、この状態で、前記回転カム６１を回動すると、前記回転カム６１は図３に示すように偏芯しているため、前記回転カム６１を回動する度に、取付孔３１の偏芯カム軸６１２が所定幅に渡って遮蔽部材５を前後に進退させるように可動する。
【００２２】
したがって、図４（ａ）に示すように回転カム６１を所定量回動させると遮蔽部材５が方立３の側面から突出し、さらに回動すると図４（ｂ）に示すように、再び、モヘア５１は遮蔽部材５とともに方立３の内部に収まるように移動する。
【００２３】
そして、この作用を利用して扉２の設置者は、扉２を戸枠内に設置した後、方立３と扉２との隙間を確認しながら、ドライバー等を用いて、適当な量のモヘア５１を突出させた状態で回転カム６１を仮止め位置として、モヘア５１の突出位置の調整をする。
【００２４】
しかしながら、このままの状態の場合、回転カム６１は固定されていないため、扉２の開閉時の振動等により回動することとなり、遮蔽部材５の位置がずれて隙間４を再び発生させることになる。そこで、本実施の形態においては、孔隠しキャップ６３の差込み筒６３１を前記回転カム６１の上から圧入することにより回転カム６１が扉２の開閉に伴う振動等によりずれることがないように固定可能とする構成としている。
【００２５】
更に、詳細に説明すると、孔隠しキャップ６３を差し込んだとき、本実施の形態では、回転カム６１を直接前記孔隠しキャップ６３の差込み筒６３１により押圧、固定するものでなく、前記孔隠しキャップ６３の差込み筒６３１を嵌挿すると前記外環６２に備えられて回転カム６１の周面に沿って配置される制動部材６２２の外側に差し込まれて、制動部材６２２が回転カム６１の凸部６１１が嵌めこまれる孔６２１の外縁部に制動部材６２２が備えられており、前記孔隠しキャップ６３の差込み筒６３１が前記外環６２の内側側面に沿って挿入されると、前記制動部材６２２が内側に押圧されるに従って、前記回転カム
６１の凸部６１１が締め付けられることにより回転カム６１は所定の位置に固定される。
【００２６】
なお、孔隠しキャップ６３は圧入されているのみであるのでマイナスドライバーのような工具があれば簡単に取り外すことが可能であるため、木の扉に於いて問題となる反りによる隙間に対しても、季節に応じて容易に調節可能である。
【００２７】
本実施の形態においては、孔隠しキャップ６３が外側から、回転カム６１の制動部材６２２を締め付ける構成としたが、回転カム６１のキャップ側凸部を締め付けて固定することができれば、内側から外側方向へ締め付けてもよい。
【００２８】
また、図５に示すように、本遮蔽部材の設置箇所としては、方立３の位置に限られることなく、隙間４が生じる扉と戸枠または壁との間に設置することにより、内部と外部の空間を遮断することが可能であって、例えば（ａ）に示すように、引戸の戸枠７と扉２との間に生じる隙間を遮蔽する目的で設置することもできる。この場合に本実施の形態においては、図５（ａ），（ｂ）に示すように扉側に遮蔽部材５を設置した図であるが、これに限られることなく、戸枠７側に遮蔽部材５を設置することも可能であり、設置される戸枠や、扉の場所や材質等により適宜調整される。
【００２９】
本実施の形態は、上記のような構成とすることにより、前記孔隠しキャップ６３は取付孔を隠すためのみの化粧部材としての機能だけでなく、孔隠しキャップを遮蔽部材の固定具として用いることができるので、別途固定のための部材や、回転カム６１と外環６２に凹凸歯６２３を設けて係合するための複雑な加工を施す必要もなく非常に簡易であるばかりでなく、前記孔隠しキャップ６３で被覆される回転カム６１や外環６２については、最終的には、孔隠しキャップ６３によって被覆されるため、使用される戸枠の色に合わせて何種類もの色の部品を用意して色対応をする必要がない。また、前記孔隠しキャップ６３は外環６２と密着して固定されるため、室内の明かりが外に漏れることを防止する役目も有するとともに、外環６２と孔隠しキャップ６３が締め付けられていることで、前記孔隠しキャップ６３が不用意に落下したりして、取付孔が露出するようなことも防ぐことができるため有用である。
【符号の説明】
【００３０】
１  控え壁、２  扉、３  方立、３１  取付孔、４  隙間、５  遮蔽部材（フィラー部材）、５１  モヘヤ、５２  凹溝、６  遮蔽部材調整具、６１  回転カム、６１１  凸部、６１２  偏芯カム軸、６１３  弾性爪、６２  外環（外筒）、６２１  孔、６２２  制動部材、６２３  凹凸歯、６３  孔隠しキャップ、６３１  差込み筒、７  戸枠
【図１】
2014214562.tif 000003
【図２】
2014214562.tif 000004
【図３】
2014214562.tif 000005
【図４】
2014214562.tif 000006
【図５】
2014214562.tif 000007
【図６】
2014214562.tif 000008
【図７】
2014214562.tif 000009